(57)【要約】【課題】工期が短く且つ費用も抑えられる簡易な方法で容易に既設のパチンコ遊技機の設置高さを実質的に低くすることができるパチンコ遊技機の設置高さ変更方法を提供することを目的とする。【解決手段】パチンコ遊技機１が複数設置されているパチンコ遊技機島２に併設されている複数の椅子３を撤去する椅子撤去作業と、撤去した前記椅子３が設置されていた床部４上に所定高さ嵩上げした新床部５を設ける新床形成作業と、前記新床部５上に椅子３を設置する椅子設置作業と、前記パチンコ遊技機島２に設けられている膳板６を撤去する膳板撤去作業とを有するパチンコ遊技機の設置高さ変更方法。【選択図】図３
2016087297.tif 000002
【特許請求の範囲】
【請求項１】
パチンコホールに設置されている既存のパチンコ遊技機の実質的設置高さを変更するパチンコ遊技機の設置高さ変更方法であって、前記パチンコ遊技機が複数設置されているパチンコ遊技機島に併設されている複数の椅子を撤去する椅子撤去作業と、撤去した前記椅子３が設置されていた床部上に所定高さ嵩上げした新床部を設ける新床形成作業と、前記新床部上に椅子を設置する椅子設置作業と、前記パチンコ遊技機島に設けられている膳板を撤去する膳板撤去作業とを有し、前記パチンコ遊技機を遊技する遊技者が前記新床部に設置した椅子に着席した状態における前記遊技者の正面視の目線の高さと同等若しくは稍低い位置に、前記遊技者の視線が常時集中する前記パチンコ遊技機の遊技領域内の略中央に位置する視線集中部が位置するようにすることを特徴とするパチンコ遊技機の設置高さ変更方法。
【請求項２】
前記新床部から前記パチンコ遊技機の下端部までの距離が４００ｍｍ〜５３０ｍｍとなるように、前記新床部の嵩上げ高さを設定することを特徴とする請求項１記載のパチンコ遊技機の設置高さ変更方法。
【請求項３】
前記パチンコ遊技機島に並設されている前記パチンコ遊技機毎に対応する独立した棚部を設ける棚部取り付け作業を有することを特徴とする請求項１，２のいずれか１項に記載のパチンコ遊技機の設置高さ変更方法。
【請求項４】
複数のパチンコ遊技機を設置して成るパチンコ遊技機島と、このパチンコ遊技機島に併設される複数の椅子とから成るパチンコ遊技機島設備であって、請求項１〜３のいずれか１項に記載のパチンコ遊技機の設置高さ変更方法を用いて前記パチンコ遊技機の実質的設置高さを低くしたことを特徴とするパチンコ遊技機島設備。
【発明の詳細な説明】
【技術分野】
【０００１】
本発明は、パチンコホールに設置されている既存のパチンコ遊技機の実質的設置高さを変更するパチンコ遊技機の設置高さ変更方法及びこの方法を用いて改造したパチンコ遊技機島設備に関するものである。
【背景技術】
【０００２】
パチンコホールに設置されている既設のパチンコ遊技機21の設置高さｈ（床部24〜パチンコ遊技機21の下端部28）は、現状、６００ｍｍ〜６５０ｍｍに設定されている。
【０００３】
この設置高さｈでは、併設されている椅子23に遊技者が着席して遊技する際に、パチンコ遊技機21の図柄を表示する液晶画面や大当たり入賞部といった遊技者が遊技中に視線を集中させる視線集中部27が遊技者の目の高さ（遊技者が正面視した際の視線位置）よりも上方に位置することになる。
【０００４】
そのため、大半の遊技者は、図６に示すように、遊技中は視線集中部27を見上げる状態（姿勢）で遊技することとなり、このような見上げる状態で長時間遊技することは、遊技者の首に負担を掛け、首痛や肩凝りなどを引き起こす要因となっている。
【０００５】
上記問題を解決するためには、パチンコ遊技機の設置高さを低くして、遊技者が遊技中に視線を集中させる視線集中部の位置を現状よりも下げ、遊技者がこの視線集中部を見上げることなく遊技できるようにすればよいが、既に設置されているパチンコ遊技機の設置高さを変更することは容易でなく、工期が長期となり営業に支障をきたしたり、また多くの費用も掛かってしまう問題が生じてしまう。
【発明の概要】
【発明が解決しようとする課題】
【０００６】
本発明は、上述のような現状に鑑みなされたもので、工期が短く且つ費用も抑えられる簡易な方法で容易にパチンコ遊技機の設置高さを実質的に低くすることができる画期的なパチンコ遊技機の設置高さ変更方法及びパチンコ遊技機島設備を提供することを目的とする。
【課題を解決するための手段】
【０００７】
添付図面を参照して本発明の要旨を説明する。
【０００８】
パチンコホールに設置されている既存のパチンコ遊技機１の実質的設置高さを変更するパチンコ遊技機の設置高さ変更方法であって、前記パチンコ遊技機１が複数設置されているパチンコ遊技機島２に併設されている複数の椅子３を撤去する椅子撤去作業と、撤去した前記椅子３が設置されていた床部４上に所定高さ嵩上げした新床部５を設ける新床形成作業と、前記新床部５上に椅子３を設置する椅子設置作業と、前記パチンコ遊技機島２に設けられている膳板６を撤去する膳板撤去作業とを有し、前記パチンコ遊技機１を遊技する遊技者が前記新床部５に設置した椅子３に着席した状態における前記遊技者の正面視の目線の高さと同等若しくは稍低い位置に、前記遊技者の視線が常時集中する前記パチンコ遊技機１の遊技領域内の略中央に位置する視線集中部７が位置するようにすることを特徴とするパチンコ遊技機の設置高さ変更方法に係るものである。
【０００９】
また、前記新床部５から前記パチンコ遊技機１の下端部８までの距離が４００ｍｍ〜５３０ｍｍとなるように、前記新床部５の嵩上げ高さを設定することを特徴とする請求項１記載のパチンコ遊技機の設置高さ変更方法に係るものである。
【００１０】
また、前記パチンコ遊技機島２に並設されている前記パチンコ遊技機１毎に対応する独立した棚部９を設ける棚部取り付け作業を有することを特徴とする請求項１，２のいずれか１項に記載のパチンコ遊技機の設置高さ変更方法に係るものである。
【００１１】
また、複数のパチンコ遊技機１を設置して成るパチンコ遊技機島２と、このパチンコ遊技機島２に併設される複数の椅子３とから成るパチンコ遊技機島設備であって、請求項１〜３のいずれか１項に記載のパチンコ遊技機の設置高さ変更方法を用いて前記パチンコ遊技機１の実質的設置高さを低くしたことを特徴とするパチンコ遊技機島設備に係るものである。
【発明の効果】
【００１２】
本発明は上述のようにしたから、パチンコ遊技機自体の設置高さを低くするための改造工事、例えばパチンコ遊技機設置島の改造や新規に設計したものへの入れ替えに比べて、工期も費用も掛からず、極めて簡易な方法で容易にパチンコ遊技機の設置高さを実質的に低くすることができる画期的なパチンコ遊技機の設置高さ変更方法となる。
【図面の簡単な説明】
【００１３】
【図１】本実施例の作業手順（作業前）を示す説明図である。
【図２】本実施例の作業手順（撤去作業）を示す説明図である。
【図３】本実施例の作業手順（作業後）を示す説明図である。
【図４】本実施例を用いて構成したパチンコ遊技機島設備を示す説明斜視図である。
【図５】本実施例を用いて構成したパチンコ遊技機島設備を示す説明側面図である。
【図６】従来のパチンコ遊技機島設備を示す説明図である。
【発明を実施するための形態】
【００１４】
好適と考える本発明の実施形態を、図面に基づいて本発明の作用を示して簡単に説明する。
【００１５】
パチンコ遊技機１が複数設置されているパチンコ遊技機島２に併設されている複数の椅子３を撤去し、この撤去した椅子３が設置されていた床部４上に所定高さ嵩上げした新床部５を設け、この新床部５上に椅子３を設置することにより、床部４に設置されていたときよりもパチンコ遊技機１に対する椅子３の設置位置が高くなり、よって、この新床部５に設置された椅子３に遊技者が着席することで、パチンコ遊技機１に対する遊技者の目線位置も高くなる。
【００１６】
これにより、実際にパチンコ遊技機１自体の設置高さを低くする改造を行うことなく、椅子３に着席した遊技者に対してパチンコ遊技機１に設置高さを実質的に下げ、椅子３に着席した遊技者の正面視の目線の高さと同等若しくは稍低い位置に、パチンコ遊技機１の遊技領域内の略中央に位置する視線集中部７が位置するようになり、遊技者は、この視線集中部７を見上げることなく目視でき、首に負荷が掛からず長時間遊技を楽しむことができるようになる。
【００１７】
また、このパチンコ遊技機１の実質的設置高さを下げたことにより、パチンコ遊技機島２に設けられている膳板６の高さも実質的に下がり、この膳板６が椅子３に着席した遊技者の脚と干渉してしまう不具合が生じてしまうが、本発明は、この膳板６を除去するので、前述のような不具合が生じず、遊技者は、脚を組むなど楽な姿勢で遊技を楽しむことができる。
【実施例】
【００１８】
本発明の具体的な実施例について図面に基づいて説明する。
【００１９】
本実施例は、パチンコホールに設置されている既存のパチンコ遊技機１の実質的設置高さを変更するパチンコ遊技機の設置高さ変更方法であって、前記パチンコ遊技機１が複数設置されているパチンコ遊技機島２に併設されている複数の椅子３を撤去する椅子撤去作業と、撤去した前記椅子３が設置されていた床部４上に所定高さ嵩上げした新床部５を設ける新床形成作業と、前記新床部５上に椅子３を設置する椅子設置作業と、前記パチンコ遊技機島２に設けられている膳板６を撤去する膳板撤去作業とを有し、前記パチンコ遊技機１を遊技する遊技者が前記新床部５に設置した椅子３に着席した状態における前記遊技者の正面視の目線の高さと同等若しくは稍低い位置に、前記遊技者の視線が常時集中する前記パチンコ遊技機１の遊技領域内の略中央に位置する視線集中部７が位置するようにするものである。
【００２０】
以下、本実施例に係る各作業についての説明を、作業手順の一例を示し、この作業手順に沿って行う。
【００２１】
図１は、作業前の状態を示している。本実施例では、先ず、図２に示すように、パチンコ遊技機島２に併設されている椅子３を撤去する椅子撤去作業を行うと共に、パチンコ遊技機島２から通路側に突出している膳板６を撤去する膳板撤去作業を行う。
【００２２】
尚、膳板撤去作業については、その撤去方法は特に限定するものではないが、本実施例では、膳板６の前方突出部分を切断除去し、見栄えの悪い切断面に化粧板等を貼設し隠蔽する。
【００２３】
次いで、図３に示すように、椅子３を撤去した床部４上に新床部５を、この床部４から所定高さ嵩上げするようにして形成する。
【００２４】
具体的には、新床部５に対する既設のパチンコ遊技機１の設置高さＨ、即ち新床部５の床面からパチンコ遊技機１の下端部８までの距離が４００ｍｍ〜５３０ｍｍとなるように新床部５の高さを設定して床部４上に設置する。
【００２５】
より具体的には、本実施例では、新床部５に対する既設のパチンコ遊技機１の設置高さＨが４８０ｍｍ〜５００ｍｍとなるように、新床部５の嵩上げ高さを設定している。
【００２６】
尚、この新床部５の設置、即ち床部４の嵩上げにおいては、図３で示すように床部４（パチンコ遊技機島２間の通路）全体を嵩上げするように設置しても良いし、また、椅子３を設置するところだけ部分的に床部４を嵩上げするように新床部５を設置するようにしても良い。
【００２７】
次いで、この床部４上に新たに形成した新床部５上に椅子３を設置する。
【００２８】
この新床部５上に設置する椅子３は、撤去した椅子３を再び設置しても良いし、新規な椅子３を設置しても良い。
【００２９】
以上により、床部４の嵩上げ作業が完了し、パチンコ遊技機１の実質的な設置高さが低くなるが、本実施例は、撤去する膳板６の代わりとなる棚部９を設ける棚部取り付け作業を有するので、最後にこの棚部９を設ける棚部取り付け作業を行う。
【００３０】
本実施例では、この棚部９を、パチンコ遊技機１を支持する遊技機支持部10に設けることとし、具体的には、遊技機支持部10の前面パネル部11に設ける。
【００３１】
この棚部９について説明すると、本実施例の棚部９は、図４に示すように、並設するパチンコ遊技機１毎に対応する独立した棚部９であり、具体的には、膳板６のようなパチンコ遊技機１間を跨るような長尺な板状のものではなく、各々のパチンコ遊技機１に対応する幅２０ｃｍ〜３０ｃｍ程度の短尺な長さに設定したもので、玉受箱12を一箱載置し得る程度の載置部を有する構成としている。
【００３２】
より具体的には、本実施例の棚部９は、使用時は遊技機支持部10の前面パネル部11から前方に向かって突出状態になり、不使用時は遊技機支持部10内に退避収納し得る若しくは遊技機支持部10の前面パネル部11に沿設状態に退避収納し得る構成としている。
【００３３】
更に詳細に説明すると、本実施例の棚部９は、図３に示すように、上面に開口部を有する箱体に形成され、この開口部を閉塞すると共に、玉受箱12を載置する載置部となる蓋体13が開閉自在に設けられた構成とし、遊技機支持部10の前面パネル部11に引き出し開動自在に設けられる構成としている。
【００３４】
即ち、本実施例の棚部９は、図４，５に示すように、必要な時だけ遊技機支持部10（前面パネル部11）から引き出して、水平状態に突出する蓋体13を玉受箱12の載置部として使用する構成とし、また、引き出した際も、玉受箱12と同程度の幅なので、遊技者が脚を広げてこの広げた脚の間に棚部９を配することで、棚部９が邪魔になるような不具合が生ずることなく遊技を行うことができるように構成している。
【００３５】
また、本実施例の棚部９は、玉受箱12の載置部である蓋体13を開蓋することで内部にタバコなどの遊技者の所持品を収納することができるように構成しているが、この蓋体13にロック機構を設けて、貴重品入れに構成しても良い。
【００３６】
尚、上述した作業手順は、本実施例のパチンコ遊技機の設置高さ変更方法の一例であり、膳板撤去作業や棚部取り付け作業は、どのタイミング（膳板撤去作業後や椅子設置作業後）に行っても良い。
【００３７】
以下に、既設のパチンコ遊技機島設備に対して、上述した本実施例のパチンコ遊技機の設置高さ変更方法を用いて実質的な設置高さを低くした場合の作用・効果について詳述する。
【００３８】
本実施例は、パチンコ遊技機１の設置高さを低くするために、例えばパチンコ遊技機設置島の改造（遊技機支持部を切断して高さを低くする）や新規に遊技機支持部の高さが低いものを設計し入れ替える等のパチンコ遊技機１（パチンコ遊技機島２）自体の高さを変更する場合に比べて、工期も費用も掛からず、極めて簡易な方法で容易にパチンコ遊技機１の設置高さを実質的に低くすることができる。
【００３９】
即ち、パチンコ遊技機島２は、複雑な配線や玉の自動供給・回収設備等の多くの機器が配置されており、パチンコ遊技機島２側を改造することは、これらを一度撤去し、高さ変更後、再度配線し直したり、玉供給・回収設備を再設置する等、非常に手間が掛かり、工期も費用も掛かってしまうが、本実施例のように、床部４（パチンコ遊技機島２間の通路）を嵩上げするだけの極めて簡易な作業であれば、工期も費用もあまり掛からずに、実質的にパチンコ遊技機１の設置高さを低くすることができる。
【００４０】
また、本実施例のパチンコ遊技機の設置高さ変更方法によりパチンコ遊技機１の実質的な設置高さが低くなったパチンコ遊技機１（パチンコ遊技機島２）は、パチンコ遊技機１の設置高さＨ（新床部５の床面からパチンコ遊技機１の下端部８まで）が４８０ｍｍ〜５００ｍｍとなり、従来よりも１００ｍｍ程度低くなる。
【００４１】
これにより、遊技者が新床部５に設置した椅子３に着席してパチンコ遊技機１を遊技した場合、パチンコ遊技機１の図柄を表示する液晶画面や大当たり入賞部といった遊技者が遊技中に視線を集中させるパチンコ遊技機１の遊技領域内の略中央に位置する視線集中部７は、この椅子３に着席した遊技者の目の高さと略同じ高さ若しくは目の高さよりも稍低い高さに位置することとなり、遊技者は、図５に示すように、椅子３に着席した姿勢で視線集中部７を見上げることなく目視することができ、これにより、遊技者は、首に負担が掛からない楽な状態（姿勢）で遊技をすることができ、首痛や肩凝りを生じることなく長時間快適に遊技をし続けることができることとなる。
【００４２】
また、本実施例では、膳板６を撤去したので、遊技者の脚が膳板６に干渉する不具合は生じない。
【００４３】
そして、この膳板６の代わりに遊技機支持部10内に退避収納する棚部９を設けられているので、膳板６が無くても必要なときにだけこの棚部９を引き出して載置部となる蓋体13上に玉受箱12を載置することができ、しかも、この棚部９内にタバコなどの所持品を収納することもできるので、所持品の置き場所にも困らない。
【００４４】
更に、本実施例は、玉受箱12を使用しない際は、棚部９を遊技機支持部10内に退避収納させることで、前面部に突出物がなくなり足元が広くなる（すっきりする）ので、遊技者は脚を組んで遊技することもでき、より一層楽な姿勢で遊技を楽しむことができる。
【００４５】
このように、本実施例は、パチンコ遊技機１自体の設置高さを低くするための改造工事、例えばパチンコ遊技機設置島の改造や新規に設計したものへの入れ替えに比べて、工期も費用も掛からず、極めて簡易な方法で容易にパチンコ遊技機１の設置高さを実質的に低くすることができ、また、このパチンコ遊技機１の設置高さを低くすることで、遊技者は、首に負担が掛からない楽な状態（姿勢）で遊技をすることができ、首痛や肩凝りを生じることなく長時間快適に遊技をし続けることができる従来にない画期的なパチンコ遊技機１（パチンコ遊技機島２）を構築することができるパチンコ遊技機の設置高さ変更方法となる。
【００４６】
尚、本発明は、本実施例に限られるものではなく、各構成要件の具体的構成は適宜設計し得るものである。
【符号の説明】
【００４７】
１  パチンコ遊技機
２  遊技機支持部
３  椅子
４  床部
５  新床部
６  膳板
７  視線集中部
８  下端部
９  棚部
【図１】
2016087297.tif 000003
【図２】
2016087297.tif 000004
【図３】
2016087297.tif 000005
【図４】
2016087297.tif 000006
【図５】
2016087297.tif 000007
【図６】
2016087297.tif 000008